【手続補正書】
【提出日】平成19年6月28日(2007.6.28)
【手続補正１】
【補正対象書類名】特許請求の範囲
【補正対象項目名】全文
【補正方法】変更
【補正の内容】
【特許請求の範囲】
【請求項１】
記録媒体に光を集光するレンズを保持するレンズホルダと、
前記レンズホルダをワイヤにより支持するサブフレームと、
前記サブフレームを前記ワイヤにより支持するベースフレームとを有することを特徴とする光ピックアップ装置。
【請求項２】
前記ワイヤのうち前記サブフレームと前記ベースフレームとの間の部分は、屈曲形成されていることを特徴とする請求項１に記載の光ピックアップ装置。
【請求項３】
前記サブフレームは防振部材をさらに備え、
前記ワイヤは、前記防振部材に接着固定されていることを特徴とする請求項１または２に記載の光ピックアップ装置。
【請求項４】
前記サブフレームは防振部材をさらに備え、
前記ワイヤは、前記防振部材に圧入固定されていることを特徴とする請求項１または２に記載の光ピックアップ装置。
【請求項５】
前記サブフレームは、前記ベースフレームに対し、前記レンズの前記記録媒体に対するスキュを調整可能に支持されていることを特徴とする請求項１〜４のいずれか１つに記載の光ピックアップ装置。
【請求項６】
前記サブフレームは、前記ベースフレームに対し、前記レンズの前記記録媒体に対するスキュを調整した状態で接着固定されていることを特徴とする請求項１〜４のいずれか１つに記載の光ピックアップ装置。
【請求項７】
前記ワイヤのうち前記防振部材と前記ベースフレームとの間の部分に、スキュ調整に伴うストレスを緩和するためのバッファを設けたことを特徴とする請求項３または４に記載の光ピックアップ装置。
【請求項８】
記録媒体に光を集光するレンズを保持するワイヤと、
振動を抑制するダンパホルダを有し、
前記ワイヤは前記ダンパホルダを貫通して、前記ダンパホルダを支持すべきベースフレームに取付けられていることを特徴とする光ピックアップ。
【手続補正２】
【補正対象書類名】明細書
【補正対象項目名】０００９
【補正方法】変更
【補正の内容】
【０００９】
本発明は、記録媒体に光を集光するレンズを保持するレンズホルダと、
前記レンズホルダをワイヤにより支持するサブフレームと、
前記サブフレームを前記ワイヤにより支持するベースフレームとを有することを特徴とする光ピックアップ装置である。
【手続補正３】
【補正対象書類名】明細書
【補正対象項目名】００１０
【補正方法】変更
【補正の内容】
【００１０】
本発明に従えば、光ピックアップ装置は、記録媒体に光を集光するレンズを保持するレンズホルダと、レンズホルダをワイヤによって支持するサブフレームと、サブフレームを前記ワイヤによって支持するベースフレームとを有する。
【手続補正４】
【補正対象書類名】明細書
【補正対象項目名】００１１
【補正方法】変更
【補正の内容】
【００１１】
サブフレームが、レンズホルダをワイヤによって支持し、ベースフレームが、サブフレームを前記ワイヤによって支持するので、従来技術のように複数の中継基板および複数のフレキシブルケーブルなどを用いることなく光ピックアップ装置を実現することができる。
【手続補正５】
【補正対象書類名】明細書
【補正対象項目名】００１２
【補正方法】変更
【補正の内容】
【００１２】
また本発明は、前記ワイヤのうち前記サブフレームと前記ベースフレームとの間の部分は、屈曲形成されていることを特徴とする。
【手続補正６】
【補正対象書類名】明細書
【補正対象項目名】００１３
【補正方法】変更
【補正の内容】
【００１３】
本発明に従えば、ワイヤのうち前記サブフレームと前記ベースフレームとの間の部分は、屈曲形成されているので、ワイヤ自体に柔軟性をもたせることができる。
【手続補正７】
【補正対象書類名】明細書
【補正対象項目名】００１４
【補正方法】変更
【補正の内容】
【００１４】
また本発明は、前記サブフレームは防振部材をさらに備え、
前記ワイヤは、前記防振部材に接着固定されていることを特徴とする。
【手続補正８】
【補正対象書類名】明細書
【補正対象項目名】００１５
【補正方法】変更
【補正の内容】
【００１５】
本発明に従えば、ワイヤは防振部材に接着固定されているので、ワイヤが従来のものより延長されている場合であっても、そのワイヤの延長部分の影響を受けることなく、サブフレームを安定して支持することができる。
【手続補正９】
【補正対象書類名】明細書
【補正対象項目名】００１６
【補正方法】変更
【補正の内容】
【００１６】
また本発明は、前記サブフレームは防振部材をさらに備え、
前記ワイヤは、前記防振部材に圧入固定されていることを特徴とする。
【手続補正１０】
【補正対象書類名】明細書
【補正対象項目名】００１７
【補正方法】変更
【補正の内容】
【００１７】
本発明に従えば、ワイヤは防振部材に圧入固定されているので、ワイヤを接着固定する場合に比べて、接着に要する工数を削減することができる。
【手続補正１１】
【補正対象書類名】明細書
【補正対象項目名】００１８
【補正方法】変更
【補正の内容】
【００１８】
また本発明は、前記サブフレームは、前記ベースフレームに対し、前記レンズの前記記録媒体に対するスキュを調整可能に支持されていることを特徴とする。
【手続補正１２】
【補正対象書類名】明細書
【補正対象項目名】００１９
【補正方法】変更
【補正の内容】
【００１９】
本発明に従えば、サブフレームは、ベースフレームに対し、レンズの記録媒体に対するスキュを調整可能に支持されているので、レンズのスキュを簡単に調整することができる。
【手続補正１３】
【補正対象書類名】明細書
【補正対象項目名】００２０
【補正方法】変更
【補正の内容】
【００２０】
また本発明は、前記サブフレームは、前記ベースフレームに対し、前記レンズの前記記録媒体に対するスキュを調整した状態で接着固定されていることを特徴とする。
【手続補正１４】
【補正対象書類名】明細書
【補正対象項目名】００２１
【補正方法】変更
【補正の内容】
【００２１】
本発明に従えば、サブフレームは、ベースフレームに対し、レンズの記録媒体に対するスキュを調整した状態で接着固定されているので、スキュを調整するための調整機構などを省略することが可能となる。
【手続補正１５】
【補正対象書類名】明細書
【補正対象項目名】００２２
【補正方法】変更
【補正の内容】
【００２２】
また本発明は、前記ワイヤのうち前記防振部材と前記ベースフレームとの間の部分に、スキュ調整に伴うストレスを緩和するためのバッファを設けたことを特徴とする。
【手続補正１６】
【補正対象書類名】明細書
【補正対象項目名】００２３
【補正方法】変更
【補正の内容】
【００２３】
本発明に従えば、スキュ調整に伴って、ワイヤのうち防振部材とベースフレームとの間の部分に作用するストレスを緩和することができる。つまりワイヤに作用する応力による影響を除くことが可能となる。
【手続補正１７】
【補正対象書類名】明細書
【補正対象項目名】００２４
【補正方法】変更
【補正の内容】
【００２４】
また本発明は、記録媒体に光を集光するレンズを保持するワイヤと、
振動を抑制するダンパホルダを有し、
前記ワイヤは前記ダンパホルダを貫通して、前記ダンパホルダを支持すべきベースフレームに取付けられていることを特徴とする光ピックアップである。
【手続補正１８】
【補正対象書類名】明細書
【補正対象項目名】００２５
【補正方法】変更
【補正の内容】
【００２５】
本発明に従えば、記録媒体に光を集光するレンズを保持するワイヤは、振動を抑制するダンパホルダを貫通して、前記ダンパホルダを支持すべきベースフレームに取り付けられているので、従来技術のように複数の中継基板および複数のフレキシブルケーブルなどを用いることなく光ピックアップ装置を実現することができる。
【手続補正１９】
【補正対象書類名】明細書
【補正対象項目名】００２６
【補正方法】変更
【補正の内容】
【００２６】
本発明によれば、サブフレームは、レンズホルダをワイヤによって支持し、ベースフレームは、サブフレームを前記ワイヤによって支持するので、従来技術のように複数の中継基板および複数のフレキシブルケーブルなどを用いることなく光ピックアップ装置を実現することができる。これによってはんだ付けなどの工数を削減することが可能となる。このように部品点数を少なくして、その構造を簡単化することができるうえ、工数削減を図ることができるので、光ピックアップ装置の製作コストの低減を図ることができる。しかもレンズを、光源によって規制されることなくスキュ調整することができる。
【手続補正２０】
【補正対象書類名】明細書
【補正対象項目名】００２７
【補正方法】変更
【補正の内容】
【００２７】
また本発明によれば、ワイヤのうち前記サブフレームと前記ベースフレームとの間の部分は、屈曲形成されているので、ワイヤ自体に柔軟性をもたせることができる。これによってレンズを容易に移動駆動させることができるうえ、容易に位置調整することができる。
【手続補正２１】
【補正対象書類名】明細書
【補正対象項目名】００２８
【補正方法】変更
【補正の内容】
【００２８】
また本発明によれば、ワイヤは防振部材に接着固定されているので、ワイヤが従来のものより延長されている場合であっても、そのワイヤの延長部分の影響を受けることなくサブフレームを安定して支持することができる。
【手続補正２２】
【補正対象書類名】明細書
【補正対象項目名】００２９
【補正方法】変更
【補正の内容】
【００２９】
また本発明によれば、ワイヤは防振部材に圧入固定されているので、ワイヤを接着固定する場合に比べて、接着に要する工数を削減することができる。しかも接着剤自体も不要となる。これによって光ピックアップ装置の製作コストを一層低減することができる。
【手続補正２３】
【補正対象書類名】明細書
【補正対象項目名】００３０
【補正方法】変更
【補正の内容】
【００３０】
また本発明によれば、サブフレームは、ベースフレームに対し、レンズの記録媒体に対するスキュを調整可能に支持されているので、レンズのスキュを簡単に調整することができる。
【手続補正２４】
【補正対象書類名】明細書
【補正対象項目名】００３１
【補正方法】変更
【補正の内容】
【００３１】
また本発明によれば、サブフレームは、ベースフレームに対し、レンズの記録媒体に対するスキュを調整した状態で接着固定されているので、スキュを調整するための調整機構などを省略することが可能となる。これによって光ピックアップ装置の構造をより簡単化することができる。
【手続補正２５】
【補正対象書類名】明細書
【補正対象項目名】００３２
【補正方法】変更
【補正の内容】
【００３２】
また本発明によれば、スキュ調整に伴って、ワイヤのうち防振部材とベースフレームとの間の部分に作用するストレスを緩和することができる。つまりワイヤに作用する応力による影響を除くことが可能となる。
【手続補正２６】
【補正対象書類名】明細書
【補正対象項目名】００３３
【補正方法】変更
【補正の内容】
【００３３】
また本発明によれば、記録媒体に光を集光するレンズを保持するワイヤは、振動を抑制するダンパホルダを貫通して、前記ダンパホルダを支持すべきベースフレームに取り付けられているので、従来技術のように複数の中継基板および複数のフレキシブルケーブルなどを用いることなく光ピックアップ装置を実現することができる。これによってはんだ付けなどの工数を削減することが可能となる。このように部品点数を少なくして、その構造を簡単化することができるうえ、工数削減を図ることができるので、光ピックアップ装置の製作コストの低減を図ることができる。